(57)【特許請求の範囲】
【請求項１】
胴綱を挿通して該胴綱の長さを調整する伸縮器が取り付けられるベルト体であって、作業者の腰に巻き付けられるベルト体と、伸縮器に挿通された胴綱を掛止可能な掛止部を有する掛止具とを備え、
前記掛止具は、ベルト体の長手方向に対して交差する方向に延びる直状の延出部と、
該延出部の一端部に設けられる取付部であって、掛止具をベルト体に取り付けるための取付部と、
延出部の他端部から延出部の一端部の方へ向けて折り曲げられた折曲部とを有し、
延出部と折曲部との間には、胴綱を挿入可能な凹部であって、延出部の一端部の方へ向けて開口する凹部が形成されており、
折曲部は、凹部に挿入された胴綱を延出部との間で挟持することを特徴とする安全帯。
【請求項２】
前記折曲部は、延出部側に向かって突出した凸部を先端部に有することを特徴とする請求項１に記載の安全帯。
【請求項３】
胴綱を挿通して該胴綱の長さを調整する伸縮器が取り付けられた安全帯のベルト体の長手方向に対して交差する方向に延びる直状の延出部と、
該延出部の一端部に設けられる取付部であって、掛止具をベルト体に取り付けるための取付部と、
延出部の他端部から延出部の一端部の方へ向けて折り曲げられた折曲部とを有し、
延出部と折曲部との間には、胴綱を挿入可能な凹部であって、延出部の一端部の方へ向けて開口する凹部が形成されており、
折曲部は、凹部に挿入された胴綱を延出部との間で挟持することを特徴とする安全帯用の掛止具。
【請求項４】
前記折曲部は、延出部側に向かって突出した凸部を先端部に有することを特徴とする請求項３に記載の安全帯用の掛止具。
【発明の詳細な説明】
【技術分野】
【０００１】
本発明は、鉄塔や電柱などを昇降するときに使用する安全帯及び安全帯用の掛止具に関する。
【背景技術】
【０００２】
従来より、作業者は、電柱や鉄塔等を昇降する時に安全帯を使用している。この安全帯は、例えば、図５に示す如く、作業者の腰に巻き付けられるベルト体１０１と、該ベルト体１０１の一端側に取り付けられた環体１０２と、ベルト体１０１の他端側に取り付けられた伸縮器１０３と、フック１１１が一端部に取り付けられた胴綱１１０であって、伸縮器１０３に挿通された胴綱１１０とを備える（例えば、特許文献１参照）。
【０００３】
かかる構成の安全帯１００によれば、ベルト体１０１が作業者の腰に巻き付けられて固定される。そして、前記胴綱１１０が、例えば鉄塔の支柱の外周に巻き付けられた上で、環体１０２にフック１１１を連結することで、安全帯１００は、作業者の落下を防止する。
【０００４】
そして、作業者が昇降動作をする時、電線などの障害物があって胴綱１１０の掛け替えが必要な場合は、環体１０２からフック１１１を取り外し、胴綱１１０を障害物の上側に通し、フック１１１を環体１０２に連結するとともに、伸縮器１０３に挿通された胴綱１１０の他端部側を引っ張って、胴綱１１０の長さを調整する。
【先行技術文献】
【特許文献】
【０００５】
【特許文献１】実開平１−８４６６７号公報
【発明の概要】
【発明が解決しようとする課題】
【０００６】
ところで、前記安全帯１００は、伸縮器１０３に挿通された胴綱１１０の他端部側を引っ張って胴綱の長さを調整するように構成されているため、胴綱１１０の端末１１０ａは、垂れ下がり揺れ動くような不安定な状態になる。そのため、胴綱１１０の端末１１０ａは、例えば、電柱や鉄塔に架設される電線などの障害物に接近したり、接触したりすることがある。
【０００７】
これに伴い、作業者は、胴綱１１０の端末１１０ａを結ぶ等の処理をし、胴綱１１０の端末１１０ａの垂れ下がりを防止している。しかし、高所作業を継続するにあたり、昇降位置を変更する度に胴綱１１０を掛け替えて胴綱１１０の長さを調整しているため、本胴綱１１０の端末１１０ａを処理するのが煩雑である、という問題がある。
【０００８】
そこで、本発明は、上記問題に鑑み、煩雑な作業を伴うことなく、胴綱が障害物に接近又は接触することを回避できる状態にすることのできる安全帯及び安全帯用の掛止具を提供することを目的とする。
【課題を解決するための手段】
【０００９】
本発明に係る安全帯は、胴綱を挿通して該胴綱の長さを調整する伸縮器が取り付けられるベルト体であって、作業者の腰に巻き付けられるベルト体と、伸縮器に挿通された胴綱を掛止可能な掛止部を有する掛止具とを備え、前記掛止具は、ベルト体の長手方向に対して交差する方向に延びる直状の延出部と、該延出部の一端部に設けられる取付部であって、掛止具をベルト体に取り付けるための取付部と、延出部の他端部から延出部の一端部の方へ向けて折り曲げられた折曲部とを有し、延出部と折曲部との間には、胴綱を挿入可能な凹部であって、延出部の一端部の方へ向けて開口する凹部が形成されており、折曲部は、凹部に挿入された胴綱を延出部との間で挟持することを特徴とする。
【００１０】
かかる構成によれば、伸縮器に挿通されて垂れ下がった胴綱の端末側を掛止具の掛止部に掛止させることができる。これにより、伸縮器に挿通されて胴綱がベルト体よりも下に無造作に垂れ下がることを防止できる。したがって、胴綱が電線などの障害物に接近したり、接触したりする状況を回避できる。
【００１２】
また、延出部と折曲部との間に凹部が形成されることによって、凹部に胴綱を掛止させることができる。
【００１３】
前記折曲部は、延出部側に向かって突出した凸部を先端部に有することが好ましい。
【００１４】
かかる構成によれば、延出部側に向かって突出した凸部が折曲部の先端部に形成されることによって、延出部と折曲部の先端側との間隔が極所的に狭くなり、延出部と折曲部との間から胴綱が抜け出ないようにすることができる。
【００１５】
本発明に係る安全帯用の掛止具は、胴綱を挿通して該胴綱の長さを調整する伸縮器が取り付けられた安全帯のベルト体の長手方向に対して交差する方向に延びる直状の延出部と、該延出部の一端部に設けられる取付部であって、掛止具をベルト体に取り付けるための取付部と、延出部の他端部から延出部の一端部の方へ向けて折り曲げられた折曲部とを有し、 延出部と折曲部との間には、胴綱を挿入可能な凹部であって、延出部の一端部の方へ向けて開口する凹部が形成されており、折曲部は、凹部に挿入された胴綱を延出部との間で挟持することを特徴とする。
【００１６】
かかる構成によれば、伸縮器に挿通されて垂れ下がった胴綱の端末側を掛止具の掛止部に掛止させることができる。これにより、伸縮器に挿通されて胴綱がベルト体よりも下に無造作に垂れ下がることを防止できる。したがって、胴綱が電線などの障害物に接近したり、接触したりする状況を回避できる。
【００１８】
また、延出部と折曲部との間に凹部が形成されることによって、凹部に胴綱を掛止させることができる。
【００１９】
前記折曲部は、延出部側に向かって突出した凸部を先端部に有することが好ましい。
【００２０】
かかる構成によれば、延出部側に向かって突出した凸部が折曲部の先端部に形成されることによって、延出部と折曲部の先端側との間隔が極所的に狭くなり、延出部と折曲部との間から胴綱が抜け出ないようにすることができる。
【発明の効果】
【００２１】
以上のように、本発明によれば、煩雑な作業を伴うことなく、胴綱が障害物に接近又は接触することを回避できる状態にすることができるといった優れた効果を奏し得る。
【図面の簡単な説明】
【００２２】
【図１】図１は、本発明の一実施形態に係る安全帯を示す図である。
【図２】図２（ａ），（ｂ）は、同実施形態に係る安全帯の掛止具（第一掛止具）を示す図である。
【図３】図３（ａ），（ｂ）は、同実施形態に係る安全帯の掛止具（第二掛止具）を示す図である。
【図４】図４は、同実施形態に係る安全帯の使用態様を示す図である。
【図５】図５は、従来の安全帯を示す図である。
【発明を実施するための形態】
【００２３】
本発明の一実施形態に係る安全帯について図１〜図４を参照しながら説明する。
本実施形態に係る安全帯は、図１に示す如く、胴綱２を挿通して該胴綱２の長さを調整する伸縮器３が取り付けられるベルト体１であって、作業者の腰に巻き付けられるベルト体１と、鉄塔等の構造物に巻き掛けられる胴綱２ａ，２ｂと、ベルト体１に取り付けられた伸縮器３ａ，３ｂであって、胴綱２ａ，２ｂの長さを調整可能な伸縮器３ａ，３ｂと、
胴綱２ａ，２ｂを掛止可能な掛止具４ａ，４ｂであって、ベルト体１に取り付けられた掛止具４ａ，４ｂとを備える。また、安全帯ＳＢは、胴綱２ａ，２ｂの一端部に取り付けられたフック５ａ，５ｂと、ベルト体１に取り付けられた環体６ａ，６ｂとを備える。
【００２４】
ベルト体１は、胴当てベルト１０と、該胴当てベルト１０に挿通された帯状の腰ベルト１１とを有する。
【００２５】
胴当てベルト１０は、腰ベルト１１を挿通可能な筒状の挿通部１０ａ…を複数箇所に備える。複数の挿通部１０ａは、腰ベルト１１の挿通方向に所定の間隔をあけて配置されている。
【００２６】
腰ベルト１１は、帯状をなすベルト本体１１ａと、ベルト本体１１ａの一端に取り付けられたバックル１１ｂであって、ベルト本体１１ａの他端側を固定可能なバックル１１ｂとを備える。ベルト本体１１ａは、胴当てベルト１０よりも長尺であり、該胴当てベルト１０の複数の挿通部１０ａ…に挿通されている。
【００２７】
これにより、ベルト体１は、腰ベルト１１のベルト本体１１ａが作業者の胴周りに巻き付けられた上で、該ベルト本体１１ａの他端側がバックル１１ｂに固定されることで、胴当てベルト１０が作業者の腰付近に配置できるようになっている。
【００２８】
本実施形態に係る安全帯ＳＢは、胴綱２ａ，２ｂとして、本胴綱２ａと、補助胴綱２ｂとを有する。
【００２９】
これに伴い、安全帯ＳＢは、伸縮器３ａ，３ｂとして、本胴綱２ａの長さを調整するための第一伸縮器３ａと、補助胴綱２ｂの長さを調整するための第二伸縮器３ｂとを有する。また、安全帯ＳＢは、掛止具４ａ，４ｂとして、本胴綱２ａを掛止可能な第一掛止具４ａと、補助胴綱２ｂを掛止可能な第二掛止具４ｂとを備える。さらに、安全帯ＳＢは、フック５ａ，５ｂとして、本胴綱２ａに連結された第一フック５ａと、補助胴綱２ｂに連結された第二フック５ｂを備えるとともに、環体６ａ，６ｂとして、第一フック５ａを掛止させる第一環体６ａと、第二フック５ｂを掛止させる第二環体６ｂとを備える。
【００３０】
第一伸縮器３ａは、本胴綱２ａを長手方向で移動可能な状態で保持し、任意の位置で本胴綱２ａを固定するように構成される。具体的には、第一伸縮器３ａは、本胴綱２ａを挿通可能に構成されるとともに、該本胴綱２ａの挿通部位をロック可能に構成される。これに対し、第二伸縮器３ｂは、補助胴綱２ｂを長手方向で移動可能な状態で保持し、任意の位置で補助胴綱２ｂを固定するように構成される。具体的には、第二伸縮器３ｂは、補助胴綱２ｂを挿通可能に構成されるとともに、該補助胴綱２ｂの挿通部位をロック可能に構成される。
【００３１】
上記構成の第一伸縮器３ａ及び第二伸縮器３ｂは、腰ベルト１１の長手方向に所定の間隔をおいて取り付けられている。本実施形態において、第一伸縮器３ａ及び第二伸縮器３ｂは、ベルト本体１１ａの一端側（バックル１１ｂ側）に長手方向に所定の間隔をおいて取り付けられている。
【００３２】
第一掛止具４ａは、第一伸縮器３ａに挿通された本胴綱２ａの端末を処理するためのものである。すなわち、第一掛止具４ａは、本胴綱２ａの端末２０ａを掛止可能に形成される。
【００３３】
本実施形態において、第一掛止具４ａは、図２（ａ），（ｂ）に示す如く、腰ベルト１１に着脱可能な取付部４０ａと、該取付部４０ａに連設され、本胴綱２ａを掛止可能な掛止部４０ｂとを有する。
【００３４】
第一掛止具４ａの取付部４０ａは、腰ベルト１１（ベルト本体１１ａ）を挿通可能に形成される。すなわち、取付部４０ａは、環状に形成され、腰ベルト１１を挿通する扁平状の孔を画定している。
【００３５】
第一掛止具４ａの掛止部４０ｂは、腰ベルト１１の長手方向に対して交差する方向に延びる延出部４１ａと、該延出部４１ａの端部から、延出部４１ａの延びる方向とは反対方向に円弧状に折り曲げられる折曲部４１ｂとを有する。また、本実施形態において、第一掛止具４ａの掛止部４０ｂは、折曲部４１ｂの端部から延出部４１ａ側に向かって突出して形成される凸部４１ｃを有する。
【００３６】
第一掛止具４ａの延出部４１ａは、折曲部４１ｂの長さよりも長くなっており、折曲部４１ｂとの間に凹部が形成される。
【００３７】
第一掛止具４ａの折曲部４１ｂは、円弧状に折り曲げられることで弾性変形可能となっており、延出部４１ａと折曲部４１ｂとの間隔は、本胴綱２０の直径よりも少し小さくなっている。
【００３８】
これにより、第一掛止具４ａにおいて、延出部４１ａに本胴綱２ａを当てがいつつ、延出部４１ａと折曲部４１ｂとの間（凹部）に本胴綱２ａの端末２０ａを挿入することで、延出部４１ａと折曲部４１ｂとの接続部分で本胴綱２ａを掛止できるようになっている。
すなわち、第一掛止具４ａにおいて、凹部内に挿入された本胴綱２０に対して折曲部４１ｂが圧接した状態で本胴綱２ａが掛止される。また、第一掛止具４ａにおいて、凸部４１ｃが延出部４１ａ側に向かって突出して形成されているため、延出部４１ａとの間隔が極所的に狭くなっており、掛止させた本胴綱２ａの端末２０ａが延出部４１ａと折曲部４１ｂとの間から抜け出ないようにもなっている。
【００３９】
本実施形態において、第二掛止具４ｂは、図３（ａ），（ｂ）に示す如く、腰ベルト１１に着脱可能な取付部４３ａと、該取付部４３ａに連設され、補助胴綱２ｂを掛止可能な掛止部４３ａとを有する。
【００４０】
第二掛止具４ｂの取付部４３ａは、腰ベルト１１（ベルト本体１１ａ）を挿通可能に形成される。すなわち、取付部４３ａは、環状に形成され、腰ベルト１１を挿通する扁平状の孔を画定している。
【００４１】
第二掛止具４ｂの掛止部４３ｂは、腰ベルト１１の長手方向に対して交差する方向に延びる延出部４４ａと、該延出部４４ａの端部から、延出部４４ａの延びる方向とは反対方向に円弧状に折り曲げられる折曲部４４ｂとを有する。また、本実施形態において、第二掛止具４ｂの掛止部４３ｂは、折曲部４４ｂの端部から延出部４４ａ側に向かって突出して形成される凸部４４ｃを有する。
【００４２】
第二掛止具４ｂの延出部４４ａは、折曲部４４ｂの長さよりも長くなっており、折曲部４４ｂとの間に凹部が形成される。
【００４３】
第二掛止具４ｂの折曲部４４ｂは、円弧状に折り曲げられることで弾性変形可能となっており、延出部４４ａと折曲部４４ｂとの間隔は、補助胴綱２ｂの直径よりも少し小さくなっている。
【００４４】
これにより、第二掛止具４ｂにおいて、延出部４４ａに補助胴綱２ｂを当てがいつつ、延出部４４ａと折曲部４４ｂとの間（凹部）に補助胴綱２ｂの端末２０ｂを挿入することで、延出部４４ａと折曲部４４ｂとの接続部分で補助胴綱２ｂを掛止できるようになっている。
【００４５】
すなわち、第二掛止具４ｂにおいて、凹部内に挿入された補助胴綱２ｂに対して折曲部４４ｂが圧接した状態で補助胴綱２ｂが掛止される。また、第二掛止具４ｂにおいて、凸部４４ｃが延出部４４ａ側に向かって突出して形成されているため、延出部４４ａとの間隔が極所的に狭くなっており、掛止させた補助胴綱２ｂの端末２０ｂが延出部４４ａと折曲部４４ｂとの間から抜け出ないようにもなっている。
【００４６】
上記構成の第一掛止具４ａ及び第二掛止具４ｂは、取付部４０ａ，４３ａに腰ベルト１１（ベルト本体１１ａ）が挿通され、腰ベルト１１の長手方向に間隔をあけて取り付けられる。第一掛止具４ａは、本胴綱２ａの端末２０ａを処理するためのもの（掛止するためのもの）であり、第二掛止具４ｂは、補助胴綱２ｂの端末２０ｂを処理するためのもの（掛止するためのもの）であるため、第一掛止具４ａ及び第二掛止具４ｂは、腰ベルト１１一端側（ベルト本体１１ａのバックル１１ｂ側）に配置される。すなわち、第一掛止具４ａは第一伸縮器３ａに近い位置に配置され、第二掛止具４ｂは、第二伸縮器３ｂに近い位置に配置される。
【００４７】
第一フック５ａは、環状に形成され、一部が開閉可能に構成される。これにより、第一フック５ａは、本胴綱２ａや第一環体６ａに係脱可能に構成される。第二フック５ｂは、環状に形成され、一部が開閉可能に構成される。これにより、第二フック５ｂは、補助胴綱２ｂや第二環体６ｂに係脱可能に構成される。
【００４８】
第一環体６ａ及び第二環体６ｂのそれぞれは、剛性を有する環状の部品であり、腰ベルト１１の一端部側に所定の間隔をおいて配置されている。
【００４９】
つぎに本実施形態に係る安全帯ＳＢの使用態様について説明する。まず、胴当てベルト１０を作業者Ａの腰にあてがって、腰ベルト１１を作業者Ａの腰に巻き付けて、作業者Ａの腰周りに合わせてバックル１１ｂで固定し、作業者Ａの腰に安全帯ＳＢを装着する。
【００５０】
つぎに、腰ベルト１１の第一伸縮器３ａに本胴綱２ａの端末２０ａ側を挿通するとともに、第二伸縮器３１に補助胴綱２ｂの端末２０ｂ側を挿通する。
【００５１】
つぎに、図４に示す如く、本胴綱２ａを鉄塔の支柱Ｂの外周に巻き掛け、本胴綱２ａの第一フック５ａを第一環体６ａに連結する。
【００５２】
つぎに、第一伸縮器３ａに挿通された本胴綱２ａの端末２０ａ側を引っ張って、本胴綱２ａの長さを第一伸縮器３ａで調整して、本胴綱２ａの端末２０ａを第一掛止具４ａに掛止する（図２（ａ），（ｂ）参照）。具体的には、延出部４１ａと折曲部４１ｂとの間に本胴綱２ａの端末２０ａが上側から押し込まれると、延出部４１ａと折曲部４１ｂとが押し広げられて、折曲部４１ｂは弾性変形して延出部４１ａとの間隔が本胴綱２ａの直径よりも少し大きくなる。さらに押し込まれると、本胴綱２ａの端末２０ａは凸部４１ｃを超えて折曲部４１ｂ内に入り込み、折曲部４１ｂ内面に当接する。本胴綱２ａの端末２０ａを挿入した後、折曲部４１ｂは弾性復帰することで、延出部４１ａと折曲部４１ｂとの間隔は、本胴綱２ａの直径よりも小さくなり、凸部４１ｃが本胴綱２ａに圧接して掛止される。これにより、延出部４１ａと折曲部４１ｂとの間から本胴綱２ａの端末２０ａが抜け出ることを防止している。
【００５３】
したがって、本胴綱２ａの端末２０ａ及び補助胴綱２ｂの端末２０ｂは揺れ動くことがなく、例えば、鉄塔に架設されている電線等の障害物に対して接近したり、接触したりする状況を回避できる。
【００５４】
そして、支柱Ｂの上部へ昇る時、障害物が本胴綱２ａの引き上げに支障をきたし、本胴綱２ａの掛け替えが必要な場合は、障害物の上側に補助胴綱２ｂを通し、第二フック５ｂを第二環体６ｂに連結するとともに、第二伸縮器３ｂに挿通された補助胴綱２ｂの端末２０ｂ側を引っ張って、補助胴綱２ｂの長さを第二伸縮器３ｂで調整して、補助胴綱２ｂの端末２０ｂを第二掛止具４ｂに掛止する（図３（ａ），（ｂ）参照）。そして、補助胴綱２ｂと本胴綱２ａとでつり状態を確保する。
【００５５】
この状態で、本胴綱２ａの第一フック５ａを第一環体６ａから外して、本胴綱２ａの第一フック５ａを障害物の上から第一環体６ａに再度連結した後、前記と同様に、本胴綱２ａの長さを第一伸縮器３ａで調整し、本胴綱２ａの端末２０ａを第一掛止具４ａに掛止する。そして、補助胴綱２ｂと本胴綱２ａとでつり状態を確保する。
【００５６】
このように、本実施形態に係る安全帯によれば、本胴綱２ａの端末２０ａを第一掛止具４ａに掛止させるとともに、補助胴綱２ｂの端末２０ｂを第二掛止具４ｂに掛止させているため、煩雑な作業を伴うことなく、本胴綱２ａの端末２０ａ及び補助胴綱２ｂの端末２０ｂが障害物に接近又は接触することを回避できる状態にできる。
【００５７】
なお、本発明は、前記実施形態に限定されるものではなく、本発明の要旨を逸脱しない範囲で種々変更を加え得ることは勿論のことである。
【００５８】
例えば、前記実施形態の場合、ベルト体１を、胴当てベルト１０と、腰ベルト１１との二つとしたが、腰ベルト１１のみであってもよい。
【００５９】
また、前記実施形態の場合、胴綱２を、本胴綱２ａと補助胴綱２ｂとの二つとしたが、本胴綱２ａのみとしてもよい。これに伴って、伸縮器３ａ，３ｂ、掛止具４ａ，４ｂ，フック５ａ，５ｂ、環体６ａ，６ｂを一つずつとしてもよい。
【００６０】
また、前記実施形態の場合、掛止具４ａ，４ｂは、安全帯ＳＢのベルト体１に取り付けられたものとしたが、安全帯ＳＢに着脱可能な金具として単独で流通させてもよい。
【符号の説明】
【００６１】
ＳＢ…安全帯、１…ベルト体、１０…胴当てベルト、１１…腰ベルト、２ａ…本胴綱、２０ａ…本胴綱の端末、２ｂ…補助胴綱、２０ｂ…補助胴綱の端末、３ａ…第一伸縮器、３ｂ…第二伸縮器、４ａ…第一掛止具、４ｂ…第二掛止具、４０ａ，４３ａ…取付部、４０ｂ，４３ｂ…掛止部、４１ａ，４４ａ…延出部、４１ｂ，４４ｂ…折曲部、４１ｃ，４４ｃ…凸部、５ａ…第一フック、５ｂ…第二フック、６ａ…第一環体、６ｂ…第二環体、Ａ…作業者、Ｂ…鉄塔の支柱
【要約】
【課題】煩雑な作業を伴うことなく、胴綱が障害物に接近又は接触することを回避できる状態にする。
【解決手段】胴綱２ａ，２ｂを挿通して該胴綱２ａ，２ｂの長さを調整する伸縮器３ａ，３ｂが取り付けられたベルト体１であって、作業者Ａの腰に巻き付けられるベルト体１と、該ベルト体１に取り付けられた取付部４０ａ，４３ａ、及び該取付部４０ａ，４３ｂと連設され、伸縮器３ａ，３ｂに挿通された胴綱２ａ，２ｂを掛止可能な掛止部４０ｂ，４３ｂを有する掛止具４ａ，４ｂとを備える。
【選択図】図１【図１】
0005903151.tif 000002
【図２】
0005903151.tif 000003
【図３】
0005903151.tif 000004
【図４】
0005903151.tif 000005
【図５】
0005903151.tif 000006